(57)【要約】【課題】  簡単な工程により、低コストに製造でき、しかも、便保持性及び水分散性とを採便用シートとして必要なバランスにおいて備えた採便用シートを提供すること。【解決手段】  サイズ剤とパルプ叩解度の組合せにより便保持性を１８０秒以上に、水分散性を３００秒以下に調整した採便用シートとする。【選択図】  なし【特許請求の範囲】
【請求項１】
水洗式便器に排泄された便を採取する採便用シートであって、サイズ剤とパルプ叩解度の組合せにより、下記方法で測定された便保持性を１８０秒以上に、水分散性を３００秒以下に調整したことを特徴とする坪量が２０〜６０ｇ／ｍ2である採便用シート。
便保持性：水を入れたバットに、縦横各２５０ｍｍの試験紙を浮かべ、試験紙の中央に重量が２００ｇのシャーレを乗せて、沈むまでの時間
水分散性：２００ｍｌのビーカーに１５０ｍＬの水を入れ、スターラーにて、渦の深さが２５ｍｍとなる速度で攪拌し、この中に縦横各２５ｍｍの試験紙を投入し、試験片が四分の一になるまでの時間
【請求項２】
便保持性が３００秒以上であることを特徴とする請求項１に記載の採便用シート
【発明の詳細な説明】
【技術分野】
【０００１】
本発明は、大腸がん検診などで必要とされる便を、確実且つ簡単に採取するためのシートに関し、更に詳しくは、水洗便器の水溜の水面上に浮かべ、その上に排泄した便を採取する間は便を保持し、便を採取した後は配管に詰まることなく、そのまま流して廃棄することのできる採便用シートに関する。
【背景技術】
【０００２】
人間が排泄する便は、健康状態を示す様々の情報を有するものであり、集団検診、定期健診、人間ドック等の各種医療検査において、検便は重要な検査項目の一つとなっている。
【０００３】
検便のための便を採取するには、通常は、便器に便を排泄し、その便から検便用の便を採取している。
近時、我国では、水洗式の便器が普及し、その中でも、腰かけ用の便座を有する洋式の水洗式便器の割合は大きいが、洋式の水洗式便器では、通常は、水溜が形成されている。
【０００４】
従って、便を採取するには、便が水溜に没してしまわないようにする必要があるが、水溜は排便からの臭気を防ぐ目的から、便が没してしまう程度の深さを有しているものであり、便が沈まないように採取することは困難である。
また、便の形状自体も多様であり、水様性便など採取の難しい便も存在する。
【０００５】
そこで、水洗式便器内の水溜の水の上に浮き、その上に排便しても、採便に要する時間内は便を保持し、採便が済んだ後は、水洗式便器にそのまま流して廃棄することが可能な採便用シートを使用することが行われている。
即ち、採便用シートには、２００〜３００ｇ程度の便を乗せた状態で３分程度、好ましくは５分以上浮くことができ、且つトイレの配管に詰まらない程度の水解性を有することが要求される。
【０００６】
このような便採取用シートとしては、水溶紙からなるシート本体の少なくとも一面に、耐水性印刷インキや耐水性樹脂コーティング剤等の耐水処理剤で耐水処理を施したシート（例えば、特許文献１参照）、水溶性又は水分散性フィルムの片面又は両面に水分散性紙を積層して一時的な耐水性を付加したシート（例えば、特許文献２参照）、水溶性紙に放射線を照射して水解性を調整したシート（例えば、特許文献３参照）等が提案されている。
【０００７】
しかしながら、これらの何れのシートも、その製造が煩雑で製造コストが高くなってしまうことや、そのシートの浸水時間が必ずしも適切ではなく、又、片面のみに耐水処理をしたシートの場合、その塗布面が水面に接するように浮かべねばらないといった取扱上の制約がある。
【０００８】
【特許文献１】特許第３５６６８１０号明細書
【特許文献２】特開平１０−２２７７８７号公報
【特許文献３】特開２００３−１８５６５１号公報
【発明の開示】
【発明が解決しようとする課題】
【０００９】
本発明は、上記背景技術の問題点に鑑み、簡単な工程により、低コストに製造でき、且つ、便保持性と水分散性とを採便用シートとして必要なバランスにおいて備えた採便用シートを提供することを目的とする。
【００１０】
本発明者らは、上記課題を解決すべく鋭意研究の結果、従来のこの種の採便用シートに使用されることのなかったサイズ剤をパルプ叩解度の調整と組合わせることにより作製した水分散性紙を使用することによりその課題を解決しうることを見出した。本発明は、かかる知見に基づいてなされたものである。
即ち本発明は、
（１）水洗式便器に排泄された便を採取する採便用シートであって、サイズ剤とパルプ叩解度の組合せにより、下記方法で測定された便保持性を１８０秒以上に、水分散性を３００秒以下に調整したことを特徴とする坪量が２０〜６０ｇ／ｍ2である採便用シート。
便保持性：水を入れたバットに、縦横各２５０ｍｍの試験紙を浮かべ、試験紙の中央に重量が２００ｇのシャーレを乗せて、沈むまでの時間
水分散性：２００ｍＬのビーカーに１５０ｍＬの水を入れ、スターラーにて、渦の深さが２５ｍｍとなる速度で攪拌し、この中に縦横各２５ｍｍの試験紙を投入し、試験片が四分の一になるまでの時間
及び
（２）便保持性が３００秒以上である上記（１）の採便用シート
である。
【発明の効果】
【００１１】
本発明の採便用シートは、簡単な工程により、低コストに製造でき、しかも、便保持性と水分散性とを採便用シートとして必要なバランスにおいて備えたものである。
【発明を実施するための最良の形態】
【００１２】
本発明の採便用シートは、サイズ剤とパルプ叩解度の調整とを組合わせることにより、便保持性を１８０秒以上に、水分散性を３００秒以下に調整した水分散性紙からなるものである。
ここでの水分散性紙とは、採便終了後、水を流すことにより水中に分散し、配管の詰まりを起こすことなく処理が可能な性能を有するシートである。
水分散性紙の原料パルプとしては、木材繊維、靭皮繊維、雁皮繊維等からなる天然パルプ、再生原料である古紙パルプ、ナイロン繊維やレーヨン繊維、ポリエステル繊維等の合成繊維、フィブリル化したポリエチレンに代表される合成パルプ等、一般の製紙原料として使用されるパルプが挙げられる。本発明では、使用後の採便用シートが、下水処理施設にて便とともに最終処分されるため、生分解性を備えた天然パルプ又は古紙パルプの使用が好ましい。更には、経済性の観点から、天然パルプの中でも木材繊維を使用した木材パルプが最適である。
木材パルプの具体例としては、ＮＢＫＰ（針葉樹漂白クラフトパルプ）、ＮＢＳＰ（針葉樹亜硫酸パルプ）、ＬＢＫＰ（広葉樹漂白クラフトパルプ）ＬＢＳＰ（広葉樹亜硫酸パルプ）等を挙げることができる。
【００１３】
原料パルプは、叩解によって適当なフリーネスのものに調整して使用する。フリーネスは、所定の便保持性及び水分散性を保持するため、使用するパルプの種類、配合により調整されるものである。
例えば、原料パルプとしてＮＢＫＰ及びＬＢＫＰを混合して使用する場合、フリーネス（ＪＩＳ  Ｐ  ８１２１カナダ標準ろ水度試験方法）は、必要とする水分散性を得るには、１５０ｍＬ以上が好ましく、必要とする便保持性を得るには、５００ｍＬ以下が好ましい。
【００１４】
サイズ剤としては、特に限定されず、従来公知のものの何れもが使用可能であり、ロジン系サイズ剤、石油樹脂系サイズ剤（合成サイズ剤）、アルキルケテンダイマー（ＡＫＤ）やアルケニル無水コハク酸（ＡＳＡ）等を例示することができる。
【００１５】
サイズ剤の使用量は、所定の便保持性及び水分散性を保持するため、サイズ剤の種類及び原料パルプのフリーネスにより異なり、ロジン系サイズ剤及び石油樹脂系サイズ剤など比較的サイズ効果の弱いサイズ剤では、必要とする便保持性を得るには、フリーネスが２００ｍＬ前後では原料パルプ１００質量部当り０．２質量部以上であることが必要であり、必要とする水分散性を得るには、原料パルプ１００質量部当り０．５質量部以下であることが必要である。フリーネスが４００ｍＬ前後では原料パルプ１００質量部当り０．５質量部以上であることが必要であり、必要とする水分散性を得るには、原料パルプ１００質量部当り１．０質量部以下であることが必要である。また、ＡＫＤサイズ剤及びＡＳＡサイズ剤などサイズ効果の強いサイズ剤では、必要とする便保持性を得るには、フリーネス２００ｍＬ前後では原料パルプ１００重量部当り０．１質量部以上であることが必要であり、必要とする水分散性を得るには、原料パルプ１００質量部当り０．３質量部以下であることが必要である。フリーネス４００ｍＬ前後では原料パルプ１００重量部当り０．３質量部以上であることが必要であり、必要とする水分散性を得るには、原料パルプ１００質量部当り０．５質量部以下であることが必要である。
即ち、サイズ剤の好ましい使用量は、原料パルプの叩解度やサイズ剤の持つサイズ効果により異なる。
【００１６】
本発明の採便用シートは、サイジングしたパルプを含む試料を抄紙して製造されたものである。
紙料には、本発明の目的を損なわない範囲において、必要に応じて填料、着色料等の内添薬剤を含有させることができる。
抄紙の方法は、特に限定されず、従来公知の種々の抄紙機、例えば長網抄紙機、円網抄紙機、単網抄紙機等を使用した方法の何れもが適用可能である。
【００１７】
採便用シートの坪量は、必要とする便保持性を得るには、２０ｇ／ｍ2以上であることが必要であり、必要とする水分散性を得るには、６０ｇ／ｍ2以下であることが必要である。  即ち、採便用シートの坪量は、２０〜６０ｇ／ｍ2である必要があり、３０〜５０ｇ／ｍ2が好ましい。
【実施例】
【００１８】
以下に実施例を挙げて本発明を更に詳細に説明するが、本発明はこれらの実施例に限定されるものではない。
なお、実施例で行われた測定・評価の方法を以下に示す。
（１）便保持性：水を入れたバットに、縦横各２５０ｍｍの試験紙を浮かべ、試験紙の中      央に重量が２００ｇのシャーレを乗せて、沈むまでの時間を測定。１８０秒以上が      便保持性に優れ、３００秒以上が便保持性に特に優れる。
（２）水分散性：２００ｍＬのビーカーに１５０ｍＬの水を入れ、マグネチックスターラ      ーにて、渦の深さが２５ｍｍとなる速度で攪拌し、この中に縦横各２５ｍｍの試験      紙を投入し、試験片が四分の一になるまでの時間。３００秒以下が水分散性に優れ      る。
（３）総合評価：便保持性及び水分散性の測定結果から、採便シートとしての適性を次の      基準で評価
○：好適（便保持性が特に良好で水分散性が優れる）
△：適（便保持性が良好で水分散性が優れる）
×：不適（便保持性が劣り、水分散性が劣る）
【００１９】
実施例１
各々、フリーネスが１９０ｍＬまで叩解したＮＢＫＰとＬＢＫＰとを、質量比４：６の割合で混合したパルプスラリーを調整した。このパルプスラリー中に、パルプ１００質量部に対し０．１質量部のロジン系サイズ剤（サイズ剤、近代化学社製、商品名：ペローザＥ３６００）を、パルプ１００質量部に対し１．０質量部の硫酸バンドを添加してロジン系サイズ剤をパルプに定着させた。
得られたパルプスラリーを抄紙し、坪量４０ｇ／ｍ2の採便用シートを得た。
この採便用シートについて、便保持性及び水分散性を測定し、総合評価を行ったところ、表１に示す結果となった。
【００２０】
実施例２
ロジン系サイズ剤の使用量を原料パルプ１００質量部に対し０．２質量部に変更した以外は実施例１と同様に実施し、坪量４０ｇ／ｍ2の採便用シートを得た。
この採便用シートについて、便保持性及び水分散性を測定し、総合評価を行ったところ、表１に示す結果となった。
【００２１】
実施例３
ロジン系サイズ剤の使用量を原料パルプ１００質量部に対し０．３質量部に変更した以外は実施例１と同様に実施し、坪量４０ｇ／ｍ2の採便用シートを得た。
この採便用シートについて、便保持性及び水分散性を測定し、総合評価を行ったところ、表１に示す結果となった。
【００２２】
実施例４
ロジン系サイズ剤の使用量を原料パルプ１００質量部に対し０．５質量部に変更した以外は実施例１と同様に実施し、坪量４０ｇ／ｍ2の採便用シートを得た。
この採便用シートについて、便保持性及び水分散性を測定し、総合評価を行ったところ、表１に示す結果となった。
【００２３】
比較例１
ロジン系サイズ剤の使用量がゼロである以外は実施例１と同様に実施し、坪量４０ｇ／ｍ2の採便用シートを得た。
この採便用シートについて、便保持性及び水分散性を測定し、総合評価を行ったところ、表１に示す結果となった。
【００２４】
実施例５
各々、フリーネスが４００ｍＬまで叩解したＮＢＫＰとＬＢＫＰとを、質量比４：６の割合で混合したパルプスラリーを調整した。このパルプスラリー中にパルプ絶乾質量１００質量部に対し０．３質量部のＡＫＤサイズ剤（星光ＰＭＣ社製、商品名：ＡＤ１６０６）を加え、良く混合させた。
得られたパルプスラリーを抄紙し、坪量４０ｇ／ｍ2の採便用シートを得た。
この採便用シートについては、便保持性及び水分散性を測定し、総合評価を行ったところ、表１に示す結果となった。
【００２５】
実施例６
ＡＫＤサイズ剤の使用量を原料パルプ１００質量部に対し０．５質量部に変更した以外は実施例５と同様に実施し、坪量４０ｇ／ｍ2の採便用シートを得た。
この採便用シートについて、便保持性及び水分散性を測定し、総合評価を行ったところ、表１に示す結果となった。
【００２６】
比較例２
ＡＫＤサイズ剤の使用量がゼロである以外は実施例５と同様に実施し、坪量４０ｇ／ｍ2の採便用シートを得た。
この採便用シートについて、便保持性及び水分散性を測定し、総合評価を行ったところ、表１に示す結果となった。
【００２７】
実施例７
各々、フリーネスが４５０ｍＬまで叩解したＮＢＫＰとＬＢＫＰとを、質量比４：６の割合で混合したパルプスラリーを調整した。このパルプスラリー中に、パルプ１００質量部に対し０．３質量部のロジン系サイズ剤（サイズ剤、近代化学社製、商品名：ペローザＥ３６００）を、パルプ１００質量部に対し１．０質量部の硫酸バンドを添加してロジン系サイズ剤をパルプに定着させた。
得られたパルプスラリーを抄紙し、坪量４０ｇ／ｍ2の採便用シートを得た。
この採便用シートについて、便保持性及び水分散性を測定し、総合評価を行ったところ、表１に示す結果となった。
【００２８】
実施例８
ロジン系サイズ剤の使用量を原料パルプ１００質量部に対し０．５質量部に変更した以外は実施例８と同様に実施し、坪量４０ｇ／ｍ2の採便用シートを得た。
この採便用シートについて、便保持性及び水分散性を測定し、総合評価を行ったところ、表１に示す結果となった。
【００２９】
比較例３
ロジン系サイズ剤の使用量がゼロである以外は実施例８と同様に実施し、坪量４０ｇ／ｍ2の採便用シートを得た。
この採便用シートについて、便保持性及び水分散性を測定し、総合評価を行ったところ、表１に示す結果となった。
【００３０】
実施例９
各々、フリーネスが１５０ｍＬまで叩解したＮＢＫＰとＬＢＫＰとを、質量比４：６の割合で混合したパルプスラリーを調整した。このパルプスラリー中にパルプ絶乾質量１００質量部に対し０．１質量部のＡＫＤサイズ剤（星光ＰＭＣ社製、商品名：ＡＤ１６０６）を加え、良く混合させた。
得られたパルプスラリーを抄紙し、坪量４０ｇ／ｍ2の採便用シートを得た。
この採便用シートについては、便保持性及び水分散性を測定し、総合評価を行ったところ、表１に示す結果となった。
【００３１】
実施例１０
ＡＫＤサイズ剤の使用量を原料パルプ１００質量部に対し０．２質量部に変更した以外は実施例９と同様に実施し、坪量４０ｇ／ｍ2の採便用シートを得た。
この採便用シートについて、便保持性及び水分散性を測定し、総合評価を行ったところ、表１に示す結果となった。
【００３２】
実施例１１
ＡＫＤサイズ剤の使用量を原料パルプ１００質量部に対し０．３質量部に変更した以外は実施例９と同様に実施し、坪量４０ｇ／ｍ2の採便用シートを得た。
この採便用シートについて、便保持性及び水分散性を測定し、総合評価を行ったところ、表１に示す結果となった。
【００３３】
比較例４
ＡＫＤサイズ剤の使用量がゼロである以外は実施例９と同様に実施し、坪量４０ｇ／ｍ2の採便用シートを得た。
この採便用シートについて、便保持性及び水分散性を測定し、総合評価を行ったところ、表１に示す結果となった。
【００３４】
実施例１２
ＮＢＫＰとＬＢＫＰとを質量比４：６の割合で混合したパルプスラリーをディスクリファイナーにより２００ｍＬのフリーネスへ調整した。このパルプスラリー中に、パルプ１００質量部に対し０．２質量部のロジン系サイズ剤（サイズ剤、近代化学社製、商品名：ペローザＥ３６００）を、パルプ１００質量部に対し１．０質量部の硫酸バンドを添加してロジン系サイズ剤をパルプに定着させた。
得られたパルプスラリーを長網抄紙機にて抄紙し、坪量４０ｇ／ｍ2の採便用シートを得た。
この採便用シートについて、便保持性及び水分散性を測定し、総合評価を行ったところ、表１に示す結果となった。
【００３５】
【表１】
2006098133.tif 000002
【産業上の利用可能性】
【００３６】
本発明の採便用シートは、簡単な工程により、低コストに製造でき、しかも、便保持性及び水分散性とを採便用シートとして必要なバランスにおいて備えたものであり、健康管理の重要化に従って増加する需要に充分に応えうるものである。